(57)【要約】【課題】  撮影画面全体の表示遅延を改善する。【解決手段】撮像手段と、前記撮像手段で取得した入力データを現像処理せずに第一の画像を生成する手段と、前記撮像手段で取得した入力データを現像処理して画像データを生成する現像処理手段と、前記撮像手段からの遅延時間が前記第一の画像と異なる第二の画像を前記現像処理した画像データから生成する手段と、前記第一の画像と前記第二の画像から表示用の第三の画像および表示用制御信号を生成する手段と、前記第三の画像を表示する手段を備えることによって、表示画面全体の表示遅延を改善する。【選択図】  図１
2019134203.tif 000002
【特許請求の範囲】
【請求項１】
撮像手段と、前記撮像手段で取得した入力データを現像処理せずに第一の画像を生成する手段と、前記撮像手段で取得した入力データを現像処理して画像データを生成する現像処理手段と、前記撮像手段からの遅延時間が前記第一の画像と異なる第二の画像を前記現像処理した画像データから生成する手段と、前記第一の画像と前記第二の画像から表示用の第三の画像および表示用制御信号を生成する手段と、前記第三の画像を表示する手段を有することを特徴とする撮像装置。
【請求項２】
請求項１に記載の第一の画像を生成する手段は、画素データの色の区別をせずに１色の画像データとして画像の大きさを変える処理を実施する手段を有することを特徴とする撮像装置。
【請求項３】
請求項１に記載の第三の画像を生成する手段は、第一の画像から生成する場合に、第三の画像の画素毎のＲＧＢ３要素に、第一の画像の画素毎のＲＧＢ何れか１要素を当て嵌める手段を有することを特徴とする撮像装置。
【請求項４】
請求項１に記載の第二の画像を生成する手段は、現像後の画像データにレンズの歪曲収差の補正処理とノイズ除去処理の両者またはどちらかの処理を実施する手段を有することを特徴とする撮像装置。
【発明の詳細な説明】
【技術分野】
【０００１】
本発明は、撮影している画像を表示する表示部を備えた撮像装置に関する。
【背景技術】
【０００２】
コンパクトデジタルカメラやミラーレスカメラは一眼レフカメラとは異なり、撮影する被写体を小型の電子ビューファインダー（ＥＶＦ）やディスプレイで確認する。ＥＶＦを採用することでミラーボックスが不要となって小型・軽量化が図られるが、ＥＶＦに表示するための画像処理が必要である。画像処理は時間がかかるため、表示画像と実際に撮影される被写体との時間的な差が生じ、撮影者が意図した瞬間の被写体を撮影することが困難であった。 
【０００３】
コンパクトデジタルカメラは使用者の多くがプロカメラマンではなかったため、表示遅延は大きな課題ではなかったが、近年、高級コンパクトカメラやミラーレスカメラなど、ハイアマチュア、プロ向けの製品が増え、表示遅延の課題は無視できなくなってきている。 
【０００４】
上記対策として、撮像素子からの画像読み出し順を撮影者が注視する被写体領域（注視領域）から開始してＥＶＦも注視領域から順次表示する方法、および注視領域以外の画像処理を省略する方法が特許文献１で提案されている。
【先行技術文献】
【特許文献】
【０００５】
【特許文献１】特開２００６−０６０４９６号公報
【発明の概要】
【発明が解決しようとする課題】
【０００６】
しかしながら、従来技術は注視領域の表示遅延時間を短くできるが、特殊読み出し可能な専用の撮像素子と、特殊な順序で表示可能な専用のＥＶＦが必要であった。また、注視領域以外の画像処理を省略することによってＥＶＦ表示画像の注視領域内外の画質差が目立つ場合もあった。
【課題を解決するための手段】
【０００７】
上記の課題を解決するために、本発明は、撮像手段と、前記撮像手段で取得した入力データを現像処理せずに第一の画像を生成する手段と、前記撮像手段で取得した入力データを現像処理して画像データを生成する現像処理手段と、前記撮像手段からの遅延時間が前記第一の画像と異なる第二の画像を前記現像処理した画像データから生成する手段と、前記第一の画像と前記第二の画像から表示用の第三の画像および表示用制御信号を生成する手段と、前記第三の画像を表示する手段を備えるようにした。
【発明の効果】
【０００８】
本発明によれば、白黒表示ではあるが、撮影画面全体の表示遅延を改善することが可能である。
【図面の簡単な説明】
【０００９】
【図１】本発明の機能構成ブロック図であり、基本構成および実施例１、実施例２の構成例を示した図である。
【図２】本発明の撮像素子と表示装置の画素配列の例と表示画像の例を示した図であり、図３（１）は撮像素子の画素配列例を、図３（２）はストライプ配列の表示装置の画素配列例を、図３（３）はストライプ配列の表示装置の表示画像例を、図３（４）はデルタ配列の表示装置の画素配列例を、図３（５）はデルタ配列の表示装置の表示画像例を示している。
【図３】本発明のフローチャート例を示した図であり、図２（１）は遅延改善していない表示を通常表示設定とした場合の例を、図２（２）は遅延改善表示を通常表示設定とした場合の例を示している。
【発明を実施するための形態】
【００１０】
以下に、本発明の好ましい実施の形態を、添付の図面に基づいて詳細に説明する。各図面の同一部材には同一の符号を付し、重複する説明は省略する。
【００１１】
［実施例１］
実施例１は、表示遅延のある画像を通常表示して、表示遅延改善が求められた場合に表示遅延が改善された白黒の画像に表示を切り替えて撮影する場合を例として説明する。
【００１２】
まず、本実施例１の機能構成ブロック図である図１の各ブロック動作を説明する。撮像センサー部１０１は、ＣＣＤやＣＭＯＳなどの撮像素子であり、レンズ群１００で入射光量や合焦の調節を行い、結像された画像を光電変換して、さらにアナログ・デジタル変換したデジタル信号を出力する。撮像素子の各画素には、Ｒ（赤）、Ｇ（緑）、Ｂ（青）の何れかのカラーフィルタが、所定の配列、例えば図２（１）に示すように画素毎にモザイク状に配置され、４画素毎に赤１画素、青１画素、緑２画素を１組として規則的に並べた構造となっている。このような画素の配置は、ベイヤー配列と一般的に呼ばれる。
【００１３】
撮像センサー部１０１によって変換された電気信号は、ベイヤー画像情報として画像処理部Ａ１０２と現像処理部１０３に送信する。画像処理部Ａ１０２は、ベイヤー画像信号を受信し、ＲＧＢの各色を区別することなく、画像の大きさを変える処理を実施する。水平垂直方向にＧとＢ、またはＲとＧの画素組み合わせで帯域制限フィルタ処理と、線形変換処理やバイキュービック変換処理などで画像の大きさを変えて、表示処理部１１０に送信する。ＲＧＢの各色を区別することなく処理するため出力する第一の画像は白黒の画像となるが、フィルタ処理、変換処理による遅延量は画素数個分であり、表示遅延量はほぼ「0」で処理可能である。
【００１４】
現像処理部１０３は、ベイヤー画像信号を受信し、まずＲＧＢのオフセット調整、ゲイン調整、ガンマ補正処理を行う。オフセット調整、ゲイン調整によってホワイトバランスを調整する。ガンマ補正は、撮像センサー部１０１やレンズ群１００などの特性を考慮して、撮像装置使用者が所望する記録画像を生成するための特性で処理する。ガンマ補正値を変えることによって、映画フィルムの質感や階調を再現した記録画像の生成や、ＴＶモニターで表示するための記録画像の生成が可能である。次にＲＧＢ画像信号を輝度信号（Ｙ）と色差信号（Ｃｂ、Ｃｒ）に変換した画像を生成して記憶部Ｂ１０４に記憶する。
【００１５】
画像処理部Ｂ１０５と画像処理部Ｃ１０７と画像処理部Ｄ１０９は記憶部Ｂ１０４の画像に対して順次実施する画像処理であり、例えば画像処理部Ｂ１０５はレンズの歪曲収差の補正処理、画像処理部Ｃ１０７はノイズ除去処理、画像処理部Ｄ１０９は色調整処理とする。画像処理部Ｂ１０５の出力画像は記憶部Ｃ１０６に記憶し、画像処理部Ｃ１０７の出力画像は記憶部Ｄ１０８に記憶し、画像処理部Ｄ１０９の出力画像を第二の画像とする。現像処理部１０３と画像処理部Ａ１０２の出力画像を遅延量の基準「０」とすると、記憶部Ｂ１０４と画像処理部Ｂ１０５は遅延量「＋１」、記憶部Ｃ１０６と画像処理部Ｃ１０７は遅延量「＋２」、記憶部Ｄ１０８と画像処理部Ｄ１０９は遅延量「＋３」の遅延差があり、遅延量の単位は、例えばフレーム遅延とする。実施例１の場合は、第一の画像と第二の画像の遅延差は３フレーム時間である。
【００１６】
表示処理部１１０は、画像処理部Ａ１０２が出力した第一の画像と画像処理部Ｄ１０９が出力した第二の画像の一方を選択して第三の画像を出力する。第一の画像を選択した場合、第三の画像の画素毎のＲＧＢ３要素に、第一の画像の画素毎のＲＧＢ何れか１要素を当て嵌める。また、第三の画像を出力するための同期信号を生成して第三の画像と共に出力する。同期信号は、画像水平方向同期信号、画像垂直方向同期信号、有効画像位置同期信号などが一般的である。
【００１７】
表示装置１１１は、表示処理部１１０で生成された制御信号で、表示処理部１１０で生成された第三の画像を表示するＥＶＦやディスプレイである。ＥＶＦの画素配列は、図２（２）に示すストライプ配列や、図２（４）に示すデルタ配列などがある。第一の画像を表示する場合は、図２（３）や（５）に示すように、ＥＶＦのＲＧＢ画素配列３個の組みに対して、ＲＧＢ何れか１種類の画像信号を表示する。
【００１８】
各記憶部はＤＲＡＭ等のメモリが使用されており、１個の記憶部をアドレス制御によって使用する構成でも、複数の記憶部を使用する構成でもよい。
【００１９】
なお、本特許では言及しないが、撮像素子駆動周期と各記憶部駆動周期とＥＶＦ駆動周期の同期を各々制御可能である構成が望ましい。例えば、撮像素子とＥＶＦの同期信号の遅延量を計測し、撮像素子駆動周期を基準として、各記憶部駆動周期、ＥＶＦ駆動周期の同期信号の遅延量が所定の範囲内に入るように調節する。撮像素子駆動周期とＥＶＦ駆動周期は、同一周期の場合は制御が容易であるが、同一周期に限定はしない。
【００２０】
以上の処理部により撮像装置が構成されている。
【００２１】
次に、動作フローについて本実施例のフローチャートを示した図３（１）に従いながら説明する。ステップＳ１００で撮影を開始する。ステップＳ１０１で画像処理部Ｄ１０９の出力する第二の画像を表示装置１１１に表示する。ステップＳ１０２で記録開始を選択した場合は、ステップＳ１０５で記録を開始する。記録を開始せず、ステップＳ１０３で遅延改善表示を選択した場合は、ステップＳ１０４で第一の画像を表示装置１１１に表示する。遅延改善表示の選択は、シャッターボタンを撮影者が押した場合に自動的に選択される方法や、外部からの指示によって選択される方法などが考えられる。ステップＳ１０５でシャッターチャンスに合わせて記録を開始する。
【００２２】
［実施例２］
実施例２は、表示遅延改善画像を通常表示して、色を確認したい場合に、表示遅延は大きくなるが色の付いた画像に表示を切り替えて撮影する場合を例として説明する。
【００２３】
まず、本実施例２の機能構成ブロック図は図１と等しく、各ブロック動作の説明は省略する。
【００２４】
次に、動作フローについて本実施例のフローチャートを示した図３（２）に従いながら説明する。ステップＳ２００で撮影を開始する。ステップＳ２０１で画像処理部Ａ１０２の出力する白黒の第一の画像を表示装置１１１に表示する。ステップＳ２０２で記録開始を選択した場合は、ステップＳ２０７で記録を開始する。記録を開始せず、ステップＳ２０３で色付き画像を選択した場合は、ステップＳ２０４で第二の画像を表示装置１１１に表示する。ステップＳ２０５で記録開始を選択した場合は、色の付いた第二の画像を表示しながらステップＳ２０７で撮影を開始する。
【００２５】
ステップＳ２０６で遅延改善表示を選択した場合は、ステップＳ２０１に戻って白黒の第一の画像を表示する。第二の画像を表示したまま撮影する場合は、ステップＳ２０５に戻って、ステップＳ２０７でシャッターチャンスに合わせて記録を開始する。
【符号の説明】
【００２６】
１００  レンズ群
１０１  撮像センサー部
１０２  現像処理部
１０３  画像処理部Ａ
１０４  記憶部Ｂ
１０５  画像処理部Ｂ
１０６  記憶部Ｃ
１０７  画像処理部Ｃ
１０８  記憶部Ｄ
１０９  画像処理部Ｄ
１１０  表示処理部
１１１  表示装置
【図１】
2019134203.tif 000003
【図２】
2019134203.tif 000004
【図３】
2019134203.tif 000005